【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
ビデオ再生システム内に提示されている１つ以上のメニューに関係するページにおけるボタンを発見する方法において、
ビデオコンテンツ中の前記１つ以上のメニューから複数のボタンを検索することと、前記ボタンは元々、上、下、左、右、数字、および、選択の機能を有する遠隔制御装置を通した選択のために設計されており、前記ボタンは、前記遠隔制御装置以外の標準の入力／出力デバイスと互換性がなく、前記ボタンは選択可能なボタンおよび選択不可能なボタンを含み、
各ページ内のすべての選択可能なボタンを識別するためのボタンマップを生成させることと、
前記標準の入力／出力デバイスを通して、前記ボタンマップ中の前記ボタンのうちの１つのボタンの選択を受け取ることとを含み、
前記ボタンマップを生成させることは、
現在選択されているボタンを識別して、前記ボタンマップに追加することと、
前記現在選択されているボタンの近くに位置する第１の組の隣接しているボタンを前記ボタンマップに追加することと、
同一ページ内の前記すべての選択可能なボタンが前記ボタンマップに追加されるまで、前記第１の組の隣接しているボタン内の各ボタンに対して、隣接しているボタンを反復式に識別して、前記ボタンマップに反復式に追加することとを有する方法。
【請求項２】
前記標準の入力／出力デバイスは、マウスデバイスである請求項１記載の方法。
【請求項３】
前記現在選択されているボタンは、前記ページが提示されたときに自動的に選択されたものである請求項１記載の方法。
【請求項４】
前記ボタンのうちの１つのボタンの選択を受け取るステップは、
前記ページ内の任意の位置上にある前記マウスデバイスの動きを検出することと、
前記マウスデバイス上のキーの押下を検出することと、コンテキストメニューを表示することとを含み、
前記コンテキストメニューは、前記ボタンに関して実行することができる可能性あるアクションを提示する請求項２記載の方法。
【請求項５】
前記コンテキストメニューは、前記ボタンマップ内の前記ボタンのうちの１つのボタンを選択するために使用される数字キーパッドを含む請求項４記載の方法。
【請求項６】
ビデオ再生システム内に提示されている１つ以上のメニューに関係するページにおけるボタンを識別する方法において、
ビデオコンテンツ中の前記１つ以上のメニューから複数のボタンを検索することと、前記ボタンは元々、上、下、左、右、数字、および、選択の機能を有する遠隔制御装置を通した選択のために設計されており、前記ボタンは、前記遠隔制御装置以外の標準の入力／出力デバイスと互換性がなく、前記ボタンは選択可能なボタンおよび選択不可能なボタンを含み、
現在選択されているボタンと、それに隣接している選択可能なボタンとをボタンマップに追加することと、
すべての選択可能なボタンが前記ボタンマップに追加されるまで、前記ボタンマップ中にない新しい選択可能なボタンを繰り返し前記ボタンマップに追加し、前記新しいボタンに対して隣接している選択可能なすべてのボタンを繰り返し前記ボタンマップに追加することと、
前記標準の入力／出力デバイスを使用して前記ボタンマップ中の前記ボタンのうちの１つのボタンの選択を受け取ることとを含む方法。
【請求項７】
前記標準の入力／出力デバイスは、マウスデバイスである請求項６記載の方法。
【請求項８】
前記現在選択されているボタンは、前記ページが提示されたときに自動的に選択されたものである請求項６記載の方法。
【請求項９】
前記ボタンのうちの１つのボタンの選択を受け取る前記ステップは、
前記ページ内の任意の位置上にある前記マウスデバイスの動きを検出することと、
前記マウスデバイス上のキーの押下を検出することと、コンテキストメニューを表示することとを含み、
前記コンテキストメニューは、前記ボタンに関して実行することができる可能性あるアクションを提示する請求項７記載の方法。
【請求項１０】
前記コンテキストメニューは、前記ボタンマップ内の前記ボタンのうちの１つのボタンを選択するために使用される数字キーパッドを含む請求項９記載の方法。
【請求項１１】
ビデオ再生システム内に提示されている１つ以上のメニューに関係するページにおけるボタンを識別するシステムにおいて、
ビデオコンテンツ中の前記１つ以上のメニューから複数のボタンを検索し、ビデオ内の各ページ中のすべての選択可能なボタンにより構成されているボタンマップを生成および更新するボタンマップ発生器と、
前記ボタンマップを記憶するためのデータベースと、
前記ボタンマップからボタンを選択するための標準の入力／出力デバイスとを具備し、  前記ボタンは元々、上、下、左、右、数字、および、選択の機能を有する遠隔制御装置を通した選択のために設計されており、前記ボタンは、前記遠隔制御装置以外の標準の入力／出力デバイスと互換性がなく、前記ボタンは選択可能なボタンおよび選択不可能なボタンを含むシステム。
【請求項１２】
前記標準の入力／出力デバイスは、マウスデバイスである請求項１１記載のシステム。
【請求項１３】
前記選択可能なボタンは、数字ボタンである請求項１１記載のシステム。
【請求項１４】
前記ボタンマップ発生器は、現在選択されているボタンとともに、それに隣接しているボタンをボタンマップに追加し、前記ボタンマップ中にない新しい選択可能なボタンとともに、それに隣接しているボタンを繰り返し前記ボタンマップに追加するようにさらに構成されている請求項１１記載のシステム。
【請求項１５】
現在選択されているボタンを識別し、前記ボタンマップに追加することは、前記ボタンマップに数字ボタンを追加することをさらに含む請求項１記載の方法。
【請求項１６】
前記ボタンマップ内にない前記ボタンは、前記標準の入力／出力デバイスにより無視され、前記標準の入力／出力デバイスにより選択不可能である請求項１記載の方法。
【請求項１７】
現在選択されているボタンを識別し、前記ボタンマップに追加することは、前記ボタンマップに数字ボタンを追加することをさらに含む請求項６記載の方法。
【請求項１８】
前記ボタンマップ内にない前記ボタンは、前記標準の入力／出力デバイスにより無視され、前記標準の入力／出力デバイスにより選択不可能である請求項６記載の方法。
【請求項１９】
前記ボタンマップ内にない前記ボタンは、前記マウスデバイスにより無視され、前記マウスデバイスにより選択不可能である請求項１１記載のシステム。
【請求項２０】
前記ボタンマップ発生器は前記ボタンマップに数字ボタンをさらに追加する請求項１１記載のシステム。
【手続補正２】
【補正対象書類名】明細書
【補正対象項目名】００３９
【補正方法】変更
【補正の内容】
【００３９】
先に記述した実施形態は、可能性あるインプリメンテーションの単なる例であることを強調する。本開示の原理から逸脱することなく、先に記述した実施形態に対して多くの変更および修正を実行してもよい。本開示の範囲内であるここにすべてのこのような変更および修正を含み、特許請求の範囲によって保護することを意図する。
以下に、本願出願時の特許請求の範囲に記載された発明を付記する。
〔１〕ビデオ再生システム内のページにおける複数の数字ボタン間で選択をする方法において、
各ページ内のすべての選択可能な数字ボタンを識別するためのボタンマップを生成させることと、
標準の入力／出力デバイスを使用して、ボタンマップ中の数字ボタンのうちの１つの数字ボタンを選択することとを含み、
ボタンマップを生成させることは、
現在選択されているボタンを識別して、ボタンマップに追加することと、
現在選択されているボタンの近くに位置する第１の組の隣接している数字ボタンをボタンマップに追加することと、
第１の組の隣接しているボタン内の各ボタンに対して、隣接しているボタンを反復式に識別して、ボタンマップに反復式に追加することと、
ページ内のすべての選択可能なボタンがボタンマップに追加されるまで、ボタンマップにまだ追加されていないページ内の新しいボタンをボタンマップに繰り返し追加し、すべての隣接しているボタンをボタンマップに追加することによって、ボタンマップを更新することとを有する方法。
〔２〕標準の入力／出力デバイスは、マウスデバイスである上記〔１〕記載の方法。
〔３〕現在選択されているボタンは、ページが提示されたときに自動的に選択されたものである上記〔１〕記載の方法。
〔４〕数字ボタンのうちの１つの数字ボタンを選択するステップは、
現在選択されている第１のボタン上にマウスデバイスが位置付けられている間に、マウスデバイス上のキーを押下することと、
キーを押下しながら、選択されるべき第２のボタンの方向にマウスデバイスをドラックすることと、
一度、マウスデバイスが第２のボタン上に位置付けられると、マウスデバイス上のキーを放して、第２のボタンを選択することとを含む上記〔２〕記載の方法。
〔５〕数字ボタンのうちの１つの数字ボタンを選択するステップは、
ボタンマップ内のボタンのうち選択された状態にある第１のボタンを可視的に区別することと、
選択されるべき第２のボタンの方向にマウスデバイスをドラックすることと、
第２のボタンが選択されるときに、マウスデバイスの動きを中止することとを含む上記〔２〕記載の方法。
〔６〕数字ボタンのうちの１つの数字ボタンを選択するステップは、
ボタンマップ中のボタンのうちの選択された状態にある第１のボタンを可視的に区別することと、
マウスデバイス上のホイールを回転させて、第１のボタンに関して第２のボタンの位置と相関がある方向にある第２のボタンを選択することと、
第２のボタンが選択されるときにホイールの回転を中止することとを含む上記〔２〕記載の方法。
〔７〕数字ボタンのうちの１つの数字ボタンを選択するステップは、
ボタンマップ内のボタンのうちの１つのボタン上にマウスデバイスを位置付けることと、
マウスデバイス上のキーを押下したときにコンテキストメニューを表示することとを含み、
コンテキストメニューは、ボタンに関して実行することができる可能性あるアクションをユーザに提示する上記〔２〕記載の方法。
〔８〕コンテキストメニューは、ボタンマップ内のボタンのうちの１つのボタンを選択するために使用される数字キーパッドを含む上記〔７〕記載の方法。
〔９〕数字ボタンのうちの１つの数字ボタンを選択するステップは、
ボタンマップ内の各ボタンに対するプロパティを決定することと、
グラフィック表示を各ボタン上にオーバーレイすることとを含み、
グラフィック表示は、ボタンのプロパティに基づいて、ボタンに関して実行することができるすべての利用可能なアクションをユーザに提示する上記〔２〕記載の方法。
〔１０〕ビデオ再生システム内のページにおける複数の数字ボタン間で選択をする方法において、
現在選択されているボタンと、それに隣接している選択可能なボタンとをボタンマップに追加することと、
すべての選択可能なボタンがボタンマップに追加されるまで、ボタンマップ中にない新しい選択可能なボタンを繰り返しボタンマップに追加し、新しいボタンに対して隣接している選択可能ボタンのすべてを繰り返しボタンマップに追加することと、
標準の入力／出力デバイスを使用してボタンマップ中のボタンのうちの１つのボタンを選択することとを含む方法。
〔１１〕標準の入力／出力デバイスは、マウスデバイスである上記〔１０〕記載の方法。
〔１２〕現在選択されているボタンは、ページが提示されたときに自動的に選択されたものである上記〔１０〕記載の方法。
〔１３〕数字ボタンのうちの１つの数字ボタンを選択するステップは、
現在選択されている第１のボタン上にマウスデバイスが位置付けられている間に、マウスデバイス上のキーを押下することと、
キーを押下しながら、選択されるべき第２のボタンの方向にマウスデバイスをドラックすることと、
一度、マウスデバイスが第２のボタン上に位置付けられると、マウスデバイス上のキーを放して、第２のボタンを選択することとを含む上記〔１１〕記載の方法。
〔１４〕数字ボタンのうちの１つの数字ボタンを選択するステップは、
ボタンマップ内のボタンのうちの選択された状態にある第１のボタンを可視的に区別することと、
選択されるべき第２のボタンの方向にマウスデバイスをドラックすることと、
第２のボタンが選択されるときにマウスデバイスの動作を中止することとを含む上記〔１１〕記載の方法。
〔１５〕数字ボタンのうちの１つの数字ボタンを選択するステップは、
ボタンマップ中のボタンのうちの選択された状態にある第１のボタンを可視的に区別することと、
マウスデバイス上のホイールを回転させて、第１のボタンに関して第２のボタンの位置と相関がある方向にある第２のボタンを選択することと、
第２のボタンが選択されるときにホイールの回転を中止することとを含む上記〔１１〕記載の方法。
〔１６〕数字ボタンのうちの１つの数字ボタンを選択するステップは、
ボタンマップ内のボタンのうちの１つのボタン上にマウスデバイスを位置付けることと、
マウスデバイス上のキーを押下したときにコンテキストメニューを表示することとを含み、
コンテキストメニューは、ボタンに関して実行することができる可能性あるアクションをユーザに提示する上記〔１１〕記載の方法。
〔１７〕コンテキストメニューは、ボタンマップ内のボタンのうちの１つのボタンを選択するために使用される数字キーパッドを含む上記〔１６〕記載の方法。
〔１８〕ビデオ再生システム内のページにおける複数の数字ボタン間で選択をするシステムにおいて、
ビデオ内の各ページにおけるすべての選択可能なボタンからなるボタンマップを発生させて更新するボタンマップ発生器と、
ボタンマップを記憶するためのデータベースと、
ボタンマップからボタンを選択するための標準の入力／出力デバイスとを具備するシステム。
〔１９〕標準の入力／出力デバイスは、マウスデバイスである上記〔１８〕記載のシステム。
〔２０〕選択可能なボタンは、数字ボタンである上記〔１８〕記載のシステム。
〔２１〕ボタンマップ発生器は、現在選択されているボタンとともに、それに隣接しているボタンをボタンマップに追加し、ボタンマップ中にない新しい選択可能なボタンとともに、それに隣接しているボタンを繰り返しボタンマップに追加するようにさらに構成されている上記〔１８〕記載のシステム。